(57)【要約】【課題】カメラ本体に対して突出する形態の閃光装置を備えるカメラで、閃光装置が収納位置と突出位置間での生じやすい開口を塞ぐこと。【解決手段】閃光装置の収納位置と突出位置との夫々の位置で、カメラ本体の開口部を閉鎖するフランジ部を閃光装置に設けたこと。【選択図】　　　図２
2004029312.tif 000002
【特許請求の範囲】
【請求項１】
閃光装置と、該閃光装置を収納位置と、突出位置との間を非直線移動するよう案内するガイド機構を備えた閃光装置内蔵カメラに於いて、前記閃光装置は突出位置、収納位置のそれぞれの位置で、前記カメラ本体の開口部を閉鎖するフランジ部を備えた事を特徴とする閃光装置内蔵カメラ。
【請求項２】
前記閃光装置の一部に連結された駆動部材を備え、前記駆動部材の作動により前記閃光装置を収納位置と突出位置との間を移動する事を特徴とする請求項１に記載の閃光装置内蔵カメラ。
【請求項３】
前記駆動部材は、前記カメラ本体内に設けられた軸を中心に回動する、回動レバーである事を特徴とした請求項２に記載の閃光装置内蔵カメラ。
【請求項４】
カメラ本体に対し、突出位置と、収納位置に移動可能な閃光装置を内蔵した閃光装置内蔵カメラに於いて、カメラ本体に支持され、閃光装置が突出位置と収納位置とを移動途中で、カメラ本体と閃光装置の隙間を遮蔽する遮蔽手段を備えた事を特徴とする閃光装置内蔵カメラ。
【請求項５】
前記閃光装置はカメラ本体内と連通する空孔を備え、前記遮蔽手段は、閃光装置が突出位置に於いて、前記空孔の少なくとも一部を覆う事を特徴とする請求項４に記載の閃光装置内蔵カメラ。
【請求項６】
前記遮蔽手段はカメラ本体上に支持される回動軸を中心に回動する、回動部材である事を特徴とする請求項４、５に記載の閃光装置内蔵カメラ。
【請求項７】
前記遮蔽手段は一部をカメラ本体に固定された、弾性を有するシート部材である事を特徴とする請求項４、５、６に記載の閃光装置内蔵カメラ。
【発明の詳細な説明】
【０００１】
【発明の属する技術分野】
本発明はカメラ本体に対し、収納位置と、突出位置に移動にする閃光装置（ストロボ）を内蔵したカメラに関するものである。
【０００２】
【従来の技術】
閃光装置の突出、収納動作を行う機構は従来、カメラ本体に対し、閃光装置本体を直線的に進退可能にカメラ本体に支持したもの、閃光装置本体がカメラ本体上に設けられた軸を中心に回動するもの、或いは、カメラ本体上の軸を中心に回動する回動アームを用い、回動アームの先端に閃光装置本体を支持し、回動アームの回動と、閃光装置本体の他の部分に設けられたカメラ本体とのガイド機構により閃光装置本体をカメラ本体から、突出、収納動作するものが知られている。
【０００３】
このうち直線的に進退する装置は、閃光装置本体をカメラ本体の開口部の大きさに対し、僅かな隙間を設けた一回り小さい形状にしておけば、収納位置、突出位置、或いはその間の移動途中に於いても、カメラ本体と、閃光装置本体との隙間は僅かで良く、その隙間からカメラ本体内部の機構部品が見える事、またはカメラ本体内に外部からゴミなどが入る等の事はほとんど無かった。また、カメラ本体上に設けられた軸を中心に回動するものと、回動アームを用いたものは、通常の場合、カメラ本体の一部に窪みを設け、閃光装置が収納位置ではその窪みに収まる事で、カメラ本体と一体的になり、閃光装置本体が突出位置にある時はその窪みは露出するが、カメラ内部が見えないように、或いはカメラ本体内部にゴミが侵入しないように、カメラ本体に固定された隔壁を設けている。また、回動アームを用いたものは、回動アームが回動する為の空間を必要とする為、隔壁には回動アームの回動範囲はスリット状の開口を必要としていた。
【０００４】
【発明が解決しようとする課題】
しかしながら、上記隔壁は、プラスティックで加工するならば、少なくとも１ｍｍ程度の肉厚を持った部品である必要があり、カメラ本体と閃光装置の間にそれを配置する為のスペースを必要とする為、カメラの小型化を阻害する要因となっていた。また、閃光装置本体が突出位置にある時に、隔壁が外部に露出してしまう事は、外観の品位を損なう原因にもなっていた。また、回動アームを用いたものでは、回動アームが回動する為の空間を必要とする為、隔壁には回動アームの回動範囲はスリット状の開口を必要とし、その隙間からのゴミの侵入を防ぐ手段を必要としていた。また、回動アームの一部は外部に露出してしまう為、外観の品位を損なう原因にもなっていた。本提案は以上の問題に鑑み、突出、収納動作を行う閃光装置を内蔵したカメラに於いて、カメラの小型化、外観の品位を維持しつつ、カメラ外部から内部へのゴミなどの侵入を防ぐ閃光装置内蔵カメラを達成しようとするものである。
【０００５】
【課題を解決するための手段】
本発明の閃光装置内蔵カメラは、閃光装置と、該閃光装置を収納位置と、突出位置との間を非直線移動するよう案内するガイド機構を備えた閃光装置内蔵カメラに於いて、前記閃光装置は突出位置、収納位置のそれぞれの位置で、前記カメラ本体の開口部を閉鎖するフランジ部を備えた事を特徴とする。
【０００６】
また、前記閃光装置の一部に連結された駆動部材を備え、前記駆動部材の作動により前記閃光装置を収納位置と突出位置との間を移動するものである。
【０００７】
また、前記駆動部材は、前記カメラ本体内に設けられた軸を中心に回動する、回動レバーである。
【０００８】
また、他の発明はカメラ本体に対し、突出位置と、収納位置に移動可能な閃光装置を内蔵した閃光装置内蔵カメラに於いて、カメラ本体に支持され、閃光装置が突出位置と収納位置とを移動途中で、カメラ本体と閃光装置の隙間を遮蔽する遮蔽手段を備えた事にある。
【０００９】
特に、前記閃光装置はカメラ本体内と連通する空孔を備え、前記遮蔽手段は、閃光装置が突出位置に於いて、前記空孔の少なくとも一部を覆うものである。
【００１０】
また、前記遮蔽手段はカメラ本体上に支持される回動軸を中心に回動する、回動部材である。
【００１１】
【発明の実施の形態】
以下、図に沿って第１の実施例の説明をする。図１は、閃光装置内蔵カメラの閃光装置本体が突出位置にある時の、カメラ正面から見た図であり、図２は図１のＡ−Ａ断面図である。図に於いて、１はストロボケースであり、内部に放電管１１、反射笠１２を収容し、前面は透明な材質で形成された窓１０を備えている。図に示すようにストロボケース１の下部は、カメラ内部と連通する開口になっており、この開口から、放電管１１端子に接続する、或いはトリガー用の図示せぬリード線を引き出すようになっている。また、ズームストロボ装置であれば、この開口を通してカメラ内部の機構部品と連動を取る事が可能である。２はカメラカバーであって、カメラ本体でもある。
【００１２】
３は回動レバーであるところの駆動アームである。駆動レバー３はヒンジ軸６により回動可能にボディ４に固定されたヒンジベース５に支持されている。駆動アーム３の先端はストロボケース１の左右に設けられた軸１３に嵌合し、駆動アーム３が回動する事で、ストロボケース１を突出、収納駆動するよう構成されている。１４はストロボケース１に設けられたガイドピンであり、ヒンジベース５と一体的に形成されたガイド板７に設けられたガイドカム８に係合している。ガイドピン１４とガイドカム８との係合により、ストロボケース１は突出、収納移動する際に姿勢を制御されるガイド機構を構成している。
【００１３】
次に図３、図４、図５を用いて、ストロボケース１収納、突出動作について説明する。
【００１４】
図２に示す突出状態から駆動アーム３が時計方向へ回動すると、ストロボケース１は下降を始める。この時ガイドピン１４とガイドカム８の係合によりストロボケース１は姿勢を制御され、駆動アーム３の時計方向への回動とともに、ストロボケース１は軸１３を中心にして、反時計方向に回動を始め、図３、更に図４に示す状態になる。更に、駆動アーム３が時計方向へ回動すると、図５に示す収納状態になる。
【００１５】
ストロボケース１が突出位置と収納位置との間を移動する時、ストロボケース１の前面とカバー２の開口２ｂは隙間が広がっていくが、ストロボケース１の後部とカバー２の開口２ａと接近していく為ストロボケース１の背面１７とカバー２の開口２ａは接触しないような寸法に設定する必要がある。ストロボケース１の外形寸法を、放電管１１、反射笠１２、リード線などを収納する為に最低限必要な大きさをＤとするならば、カバー２の開口部の大きさ２ａと２ｂ間の距離は、少なくともＤより、ストロボケース１が揺動するだけ大きくする必要があり、図中Ｌの大きさになる。
【００１６】
しかしながら、カバー２の開口の大きさＬに対し、ストロボケース１の外形寸法をＤとし、フランジ１５、１９が無い時、図２に示す突出位置では、Ｅの隙間が生じてしまうが、本実施例に示すようにストロボケースにフランジ１５を備える事により開口を閉鎖する事が可能となっている。また、図５に示す収納位置ではＦの隙間が生じてしまうが、本実施例に示すようにストロボケースにフランジ１９を備える事により開口を閉鎖する事が可能となっている。フランジ１５、１９を備えた事により、突出位置、収納位置のいずれの場合に於いても、カメラ外部から、内部へのゴミなどの侵入を防止し、また、カメラ内部を外部から見る事は出来ない為、従来必要としていた隔壁の必要がないよう構成されている。
【００１７】
また、ストロボケース１の背面１７は図３、図４に示すように、ストロボケース１の移動途中に於いて、カバー２の開口部２ａと僅かな隙間をもった曲面と平面から構成されており、移動途中に於いても外部からのゴミなどの侵入を防ぎ、また、カメラ内部を外部から見る事はで出来ないよう構成されている。
【００１８】
以上、閃光装置（ストロボ）ケースの後方部のフランジについて説明した。次では、ストロボ前方の開口部を塞ぐ構成について図６以降の図面をもとにして説明していく。前述の図面と同じ符号は同様の機能を備えるのでその説明は省略する。
【００１９】
図に於いて２０はフラップであり、内部構造の見えを防止、あるいはゴミの侵入を防ぐ遮蔽手段である。フラップ２０はストロボケース１の前方、駆動アーム３の回動軸であるヒンジ軸６の上方に位置する軸２１をカバー２に設けられた図示せぬ保持手段により回動可能に保持され、バネ２２により図２で反時計方向へ付勢されている。図７に示すストロボケース１が突出位置にある時は、フラップ２０は、先端部をストロボケース１の下面に当接している。このように、ストロボケース１が突出位置にある時は、フラップ２０によりストロボケース１の開口を極力塞ぐ事により、ストロボ発光時に開口を通してカメラ本体側へ漏れる有害光を遮断する事が出来る。
【００２０】
次に図８、図９、図１０を用いて、ストロボケース１とフラップ２０の動作について説明する。図７に示す突出状態から駆動アーム３が時計方向へ回動すると、ストロボケース１は下降を始める。この時ガイドピン１４とガイドカム８の係合によりストロボケース１は姿勢を制御され、駆動アーム３の時計方向への回動とともに、ストロボケース１は軸１３を中心にして、反時計方向に回動を始め、図８、更に図９に示す状態になる。この時ストロボケース１は駆動アーム３の回動方向である、カメラ後方へ移動する為、ストロボケース１の前面とカバー２の間には隙間３０が生じてしまうが、フラップ２０がストロボケース１の移動にともないストロボケース１に対し常に、摺接しつつ、時計方向へ回転していく事で、この隙間３０を塞いでいる。こうする事で、隙間３０から、カメラ内部の機構部品は見える事が出来ず、またゴミなどの侵入を防いでいる。この時、フラップ２０に掛けられたバネ２２は非常に弱いバネ力であり、軸２１を中心に回動する構成にした事で、ストロボケース１の移動に対し無理な負荷を与える事がない。更に駆動アーム３が時計方向へ回動すると、図１０に示す収納状態になる。
【００２１】
収納状態では、駆動アーム３がもっとも時計方向へ回動し、ストロボケース１のガイドピン１４はガイドカム８の下端に位置し、ボディに当接している。また、ストロボケース１前方に設けられたフランジ部１５はカバー２の面２ｂに当接するよう構成されている。このように、ストロボケース１の後部はガイドピン１４、前部をフランジ１５を当接させ、その中間部分を駆動アーム３により下方へ押圧する事で、ストロボケース１の上面１ａがカバー２の上面２ａとほぼ平行かつ、ほぼ段差のない状態を作る事が出来る。フラップ２０はこの時、ストロボケース１の前面とほぼ平行な位置まで回動しており、このように、ストロボケース１が収納位置に於いては、フラップ２０はストロボケース１の前方でカバー２との間の小さな空間に収まる事が可能となっている。
【００２２】
次に図１１、図１２を用いて第２の実施例の説明をする。図に於いて４０は先の実施例におけるフラップ２０に換わる部品であるシートである。シート４０はポリエステルなどの柔軟性を持った材質の、厚さ０．２ｍｍ程度の薄板で構成されている。図１１は閃光装置内臓カメラのストロボケース１が突出位置を示している。シート４０はその末端４１をカバー２の裏側に接着されており、その他の部分は、材質の持つ柔軟性で、ストロボケース１の下面側に、弱い接触力を持って当接している。先の実施例と同様、この状態ではストロボケース１の開口を極力塞ぐ事により、ストロボ発光時に開口を通してカメラ本体側へ漏れる有害光を遮断する事が出来る。この状態から駆動アーム３が時計方向へ回動する事で、ストロボケース１の収納動作が行われる。ストロボケース１が下降するに従い、シート４０はストロボケース１前面に当接しつつ屈曲していく。
【００２３】
この時先の実施例と同様、カバー２とストロボケース１の間には隙間３０が生じるが、ストロボケース１の移動にともないストロボケース１に対し常に、摺接しつつ、屈曲いく事で、この隙間３０を塞いでいる。こうする事で、隙間３０から、カメラ内部の機構部品は見える事が出来ず、またゴミなどの侵入を防いでいる。更に駆動アーム３が回動していく事で、図１２に示す収納状態になる。収納状態でシート４０はストロボケース１の前面にほぼ密着した状態になり、ストロボケース１の前方でカバー２との間の小さな空間に収まる事が可能となっている。
【００２４】
この実施例では、先の実施例でのフラップ２０シート４０にした事で、軸２１の保持手段、バネ２２が不要になる事でコストダウンになるとともに、薄板である為、更に狭い空間に収納する事が出来、スペース効率の高い遮蔽手段を達成出来る。
【００２５】
【発明の効果】
以上説明したように第１の発明によれば、閃光装置と、該閃光装置を収納位置と、突出位置との間を非直線移動するよう案内するガイド機構を備えた閃光装置内蔵カメラに於いて、前記閃光装置は突出位置、収納位置のそれぞれの位置で前記カメラ本体の開口部を閉鎖するフランジ部を備えた事で、カメラの小型化を維持しつつ、閃光装置が突出位置、収納位置のいずれの位置にあっても、従来設けられていた隔壁を必要とせず、駆動部材が外部に露出する事のない外観の品位を向上させた閃光装置内蔵カメラを達成する事が出来る。
【００２６】
また、前記閃光装置の一部に連結された駆動部材を備え、前記駆動部材の作動により前記閃光装置を収納位置と突出位置との間を移動する事で、電動モータなどを用いて駆動部材を駆動する閃光装置の突出、収納機構が可能となり、従来設けられていた隔壁を必要とせず、或いは駆動部材が外部に露出する事のない外観の品位を向上させた閃光装置内蔵カメラを達成する事が出来る。
【００２７】
また、前記駆動部材は、前記カメラ本体内に設けられた軸を中心に回動する、回動レバーとした事で、電動モータ、撮影レンズ鏡筒などとの連動が容易な閃光装置の突出、収納機構が可能となり、従来設けられていた隔壁を必要とせず、駆動部材が外部に露出する事のない外観の品位を向上させた閃光装置内蔵カメラを達成する事が出来る。
【００２８】
更に、カメラ本体に対し、突出位置と、収納位置に移動可能な閃光装置を内蔵した、閃光装置内蔵カメラに於いて、カメラ本体に支持され、閃光装置が突出位置、収納位置を移動途中に於いて、カメラ本体と閃光装置の隙間を遮蔽する遮蔽手段を備えた事で、閃光装置が移動途中において生じる閃光装置と、カメラ本体の間の隙間を塞ぐ事が可能であり、従来必要であった隔壁を必要としない為、カメラの小型化を維持しつつ内部の機構部品を外部から見えなくするとともに、ゴミなどの侵入を防ぐ事が可能となる。
【００２９】
また、前記閃光装置はカメラ本体内と連通する空孔を備え、前記遮蔽手段は、閃光装置が突出位置に於いて、前記空孔の少なくとも一部を覆う事を特徴とする事で、閃光装置が発光時にカメラ内部へ侵入する有害光を遮断出来る。
【００３０】
また、前記遮蔽手段はカメラ本体上に支持される回動軸を中心に回動する、回動部材とした事で、閃光装置に対し大きな負荷を与える事なく追従するとともに、閃光装置が収納位置では、狭い空間に前記遮蔽手段を収納可能である。
【００３１】
また、前記遮蔽手段は一部をカメラ本体上に固定された弾性を備えたシート部材とした事で、コストダウンを達成出来るとともに、薄板である為、更に狭い空間に収納する事が可能となる。
【図面の簡単な説明】
【図１】本発明に関しストロボケースが突出位置にある時の、カメラ正面から見た図
【図２】図１のＡ−Ａ断面図
【図３】本発明に関しストロボケースが突出位置と収納位置を移動する途中を示した図
【図４】本発明に関しストロボケースが突出位置と収納位置を移動する途中を示した図
【図５】本発明に関しストロボケースが収納位置にある時の図
【図６】本発明に関しストロボケースが突出位置にある時の、カメラ正面から見た図
【図７】図６のＡ−Ａ断面図
【図８】本発明に関しストロボケースが突出位置と収納位置を移動する途中を示した図
【図９】本発明に関しストロボケースが突出位置と収納位置を移動する途中を示した図
【図１０】本発明に関しストロボケースが収納位置にある時の図
【図１１】本発明に関しストロボケースが突出位置にある時の側面図
【図１２】本発明に関しストロボケースが収納位置にある時の側面図
【符号の説明】
１　ストロボケース
２　カバー
３　駆動アーム
８　ガイドカム
１１　放電管
１２　反射笠
１４　ガイドピン
１５、１６、１８、１９　フランジ部
２０　フラップ
４０　シート
【図１】
2004029312.tif 000003
【図２】
2004029312.tif 000004
【図３】
2004029312.tif 000005
【図４】
2004029312.tif 000006
【図５】
2004029312.tif 000007
【図６】
2004029312.tif 000008
【図７】
2004029312.tif 000009
【図８】
2004029312.tif 000010
【図９】
2004029312.tif 000011
【図１０】
2004029312.tif 000012
【図１１】
2004029312.tif 000013
【図１２】
2004029312.tif 000014